(57)【要約】【課題】遊技機製造時のコストダウンを効率的に行うことができる遊技球誘導樋を提供する。【解決手段】誘導樋５０は、遊技盤の入賞口に入賞した遊技球を所定の受け部に誘導するための誘導路５１を備えている。誘導口５１１の左右方向の長さは、使用される複数種類の遊技盤に設けられる入賞口を通過する遊技球を、誘導口５１１を通過させて誘導路５１に通流させることが可能な長さとしている。入賞口の配置の異なる複数種類の遊技盤に、共通の誘導樋５０を使用することができる。誘導路５１には、入賞口を通過した遊技球を滑らかに下方に誘導する第二凸部７１が設けられている。下方に通流する遊技球の通流速度を抑制するための第一凸部６１が設けられている。遊技球が誘導路５１に衝突した場合の衝撃を抑え、誘導樋５０の破損を防止できる。【選択図】図４
2011000268.tif 000002
【特許請求の範囲】
【請求項１】
遊技機の遊技盤の裏側に取り付けられ、前記遊技盤の入賞口を通過して前記遊技盤の裏側に流出した遊技球を誘導する遊技球誘導樋であって、
前記入賞口を通過した前記遊技球を下方に通流させる中空状の誘導路である第一誘導路を少なくとも一つ備え、
前記第一誘導路は、
前記入賞口に連通する開口部である誘導口を備え、
前記第一誘導路のうち少なくとも前記誘導口の部分の大きさは、複数種類の前記遊技盤毎に異なる位置に設けられる前記入賞口を通過する前記遊技球を、前記誘導口を通過させて前記第一誘導路に通流させることが可能な大きさであることを特徴とする遊技球誘導樋。
【請求項２】
前記第一誘導路のうち少なくとも前記誘導口の部分の左右方向の大きさが、前記遊技球の径の２倍以上であることを特徴とする請求項１に記載の遊技球誘導樋。
【請求項３】
前記第一誘導路を構成する壁面に設けられ、前記第一誘導路の内方に凸設する第一凸部を備えたことを特徴とする請求項１又は２に記載の遊技球誘導樋。
【請求項４】
前記第一凸部は、
前記第一誘導路の前記壁面のうち前後方向に配置する壁面に設けられていることを特徴とする請求項３に記載の遊技球誘導樋。
【請求項５】
前記第一誘導路を構成する壁面のうち前記誘導口の近傍に設けられ、前記第一誘導路の内方に凸設する第二凸部であって、前記第一誘導路を通流する前記遊技球の通流方向と同一方向に延設された前記第二凸部を、一の前記第一誘導路に対して複数備えたことを特徴とする請求項１乃至４のいずれかに記載の遊技球誘導樋。
【請求項６】
前記第一誘導路に連通し、横方向に延設された中空状の誘導路である第二誘導路を備え、
前記第一誘導路と前記第二誘導路との接続部分が湾曲していることを特徴とする請求項１乃至５のいずれかに記載の遊技球誘導樋。
【請求項７】
一の前記遊技球誘導樋と、他の前記遊技球誘導樋とを結合するための結合部を備えたことを特徴とする請求項１乃至６のいずれかに記載の遊技球誘導樋。
【発明の詳細な説明】
【技術分野】
【０００１】
本発明は遊技球誘導樋に関する。より詳細には、複数種類の遊技盤に使用可能な遊技球誘導樋に関する。
【背景技術】
【０００２】
通常、遊技機の遊技盤の裏面には、遊技盤の入賞口（チューリップや入賞チャッカ、アタッカ等）を通って遊技盤の裏側に流出する遊技球を誘導する誘導樋が取り付けられる。誘導樋は、通流する遊技球を所定の受け部へと誘導する。
【０００３】
遊技機の遊技盤に設けられる入賞口の配置は、機種毎に異なる。従って、遊技盤に取り付けられる誘導樋も、入賞口の配置に沿った構成のものを遊技機毎に作成する必要がある。このような中、支持枠本体と交換可能枠とからなる構成を有し、機種毎に異なる交換可能枠を選択して使用する支持枠が提案されている（特許文献１参照）。支持枠本体を共通化することによって、遊技機製造時のコストダウンを図っている。
【先行技術文献】
【特許文献】
【０００４】
【特許文献１】特開２００４−３２９４４６号公報
【発明の概要】
【発明が解決しようとする課題】
【０００５】
しかしながら上述の機器では、交換可能枠は共通化できないので、機種毎に其々異なる構成の交換可能枠を作製しなければならない。このため、遊技機製造時のコストダウンを効率的に行うことができないという問題点がある。
【０００６】
本発明は上述の問題点を解決するためになされたものであり、遊技機製造時のコストダウンを効率的に行うことができる遊技球誘導樋を提供することを目的とする。
【課題を解決するための手段】
【０００７】
上述の問題点を解決するために、請求項１に係る発明の遊技球誘導樋は、遊技機の遊技盤の裏側に取り付けられ、前記遊技盤の入賞口を通過して前記遊技盤の裏側に流出した遊技球を誘導する遊技球誘導樋であって、前記入賞口を通過した前記遊技球を下方に通流させる中空状の誘導路である第一誘導路を少なくとも一つ備え、前記第一誘導路は、前記入賞口に連通する開口部である誘導口を備え、前記第一誘導路のうち少なくとも前記誘導口の部分の大きさは、複数種類の前記遊技盤毎に異なる位置に設けられる前記入賞口を通過する前記遊技球を、前記誘導口を通過させて前記第一誘導路に通流させることが可能な大きさであることを特徴とする。
【０００８】
また、請求項２に係る発明の遊技球誘導樋は、請求項１に記載の発明の構成に加えて、前記第一誘導路のうち少なくとも前記誘導口の部分の左右方向の大きさが、前記遊技球の径の２倍以上であることを特徴とする。
【０００９】
また、請求項３に係る発明の遊技球誘導樋は、請求項１又は２に記載の発明の構成に加えて、前記第一誘導路を構成する壁面に設けられ、前記第一誘導路の内方に凸設する第一凸部を備えている。
【００１０】
また、請求項４に係る発明の遊技球誘導樋は、請求項３に記載の発明の構成に加えて、前記第一凸部は、前記第一誘導路の前記壁面のうち前後方向に配置する壁面に設けられていることを特徴とする。
【００１１】
また、請求項５に係る発明の遊技球誘導樋は、請求項１乃至４のいずれかに記載の発明の構成に加えて、前記第一誘導路を構成する壁面のうち前記誘導口の近傍に設けられ、前記第一誘導路の内方に凸設する第二凸部であって、前記第一誘導路を通流する前記遊技球の通流方向と同一方向に延設された前記第二凸部を、一の前記第一誘導路に対して複数備えている。
【００１２】
また、請求項６に係る発明の遊技球誘導樋は、請求項１乃至５のいずれかに記載の発明の構成に加えて、前記第一誘導路に連通し、横方向に延設された中空状の誘導路である第二誘導路を備え、前記第一誘導路と前記第二誘導路との接続部分が湾曲していることを特徴とする。
【００１３】
また、請求項７に係る発明の遊技球誘導樋は、請求項１乃至６のいずれかに記載の発明の構成に加えて、一の前記遊技球誘導樋と、他の前記遊技球誘導樋とを結合するための結合部を備えている。
【発明の効果】
【００１４】
請求項１に係る発明の遊技球誘導樋では、入賞口の設けられる場所が異なる複数種類の遊技盤に、共通の遊技球誘導樋を使用することができる。遊技盤毎に別々の遊技球誘導樋を作製する必要がなくなるので、遊技機の製造コストを抑制することができる。
【００１５】
また、請求項２に係る発明の遊技球誘導樋では、請求項１に記載の発明の効果に加えて、第一誘導路のうち少なくとも誘導口の部分の左右方向の大きさが、遊技球の径の少なくとも２倍以上である。これによって、入賞口の設けられる場所が、遊技球の径の２倍左右方向に異なる複数種類の遊技機に対して、共通の遊技球誘導樋を使用することができる。
【００１６】
また、請求項３に係る発明の遊技球誘導樋では、請求項１又は２に記載の発明の効果に加えて、通流する遊技球を第一凸部に衝突させることによって、遊技球の通流速度を抑制することができる。遊技球が誘導路に衝突した場合の衝撃で、衝突部分が破損してしまうことを防止できる。
【００１７】
また、請求項４に係る発明の遊技球誘導樋では、請求項３に記載の発明の効果に加えて、第一凸部は、第一誘導路の壁面のうち前後方向に配置する壁面に設けられる。第一凸部に遊技球を効果的に衝突させて、遊技球の通流速度を抑制することができる。遊技球が誘導路に衝突した場合の衝撃で、衝突部分が破損してしまうことを防止できる。
【００１８】
また、請求項５に係る発明の遊技球誘導樋では、請求項１乃至４のいずれかに記載の発明の効果に加えて、遊技球の通流方向と同一方向に延設された第二凸部を備える。これによって、遊技球を通流方向に誘導することができる。
【００１９】
また、請求項６に係る発明の遊技球誘導樋では、請求項１乃至５のいずれかに記載の発明の効果に加えて、第一誘導路と第二誘導路との接続部分が湾曲しているので、遊技球をの通流方向を滑らかに変えることができる。また、遊技球の通流速度を抑制することができる。第一誘導路を通流した遊技球が接続部分に衝突した場合の衝撃で、接続部分が破損してしまうことを防止できる。
【００２０】
また、請求項７に係る発明の遊技球誘導樋では、請求項１乃至６のいずれかに記載の発明の効果に加えて、複数の遊技球誘導樋を結合させて使用することができる。誘導路の長さや誘導口の配置が異なる遊技球誘導樋同士を結合させて使用することができる。入賞口の配置が大きく異なる複数種類の遊技盤が使用された場合であっても、樋部品を共通化できるので、遊技機の製造コストを抑制することができる。
【図面の簡単な説明】
【００２１】
【図１】パチンコ機１の物理的構成を示す模式図である。
【図２】遊技盤２の前側の物理的構成を示す模式図である。
【図３】遊技盤２の後側の物理的構成を示す模式図である。
【図４】誘導樋５０を前方右斜め上から見た斜視図である。
【図５】誘導樋５０を後方左斜め上から見た斜視図である。
【図６】誘導樋５０の正面図である。
【図７】誘導樋５０の左側面図である。
【図８】誘導樋５０の上面図である。
【図９】誘導樋５０を遊技球が通流する様子を示す模式図である。
【図１０】誘導樋５０の誘導路５１近傍を拡大した図である。
【図１１】変形例における誘導樋５０を前方右斜め上から見た斜視図である。
【図１２】変形例における誘導樋５０の正面図である。
【発明を実施するための形態】
【００２２】
以下、本発明に係る誘導樋５０、及び、誘導樋５０を備えたパチンコ機１の一実施の形態について、図面を参照して説明する。なおこれらの図面は、本発明が採用しうる技術的特徴を説明するために用いられるものであり、記載されている装置の構成はそれのみに限定する趣旨ではなく、単なる説明例である。
【００２３】
パチンコ機１の物理的構成の概要について、図１を参照して説明する。パチンコ機１の正面の上半分の部分には、発射ハンドル７の操作により図示外の発射機から発射された遊技媒体としての遊技球が流下する遊技盤２が設けられている。遊技盤２は略正方形である（図２参照）。遊技盤２は、透明なガラス板を保持した前面枠１１で保護されている。遊技盤２の下方部には、発射機に遊技球を供給し、且つ賞品球を受ける上皿５が設けられている。上皿５の直下には、賞品球を受ける下皿６が設けられている。下皿６の右横には遊技球の発射を調整する発射ハンドル７が設けられている。前面枠１１の上部には、左右方向の略全長に亘って前側に膨出するように照明装置３５が設けられている。前面枠１１の上部の左右の角にはスピーカ４８がそれぞれ設けられている。前面枠１１の前面には演出用の電飾ランプが多数設けられている。
【００２４】
遊技盤２の表側の物理的構成について、図２を参照して説明する。遊技盤２の前面にはガイドレール３で囲まれた略円形の遊技領域４が設けられている。遊技領域４の略中央には、ＬＣＤからなる表示画面１３や、各種ランプ、ＬＥＤ等を備えた図柄表示装置８が設けられている。図柄表示装置８の左側には普通図柄始動ゲート１２が設けられている。図柄表示装置８の下側には始動口２６、２７が設けられている。始動口２７は、所定のタイミングで開放される開閉部材を備えている。始動口２７の下方に変動入賞装置２８が設けられている。変動入賞装置２８に遊技球が入賞した場合、所定数の遊技球が払い出される。変動入賞装置２８の左側に、左から順に第一入賞口（図示外）、第二入賞口２２、及び第三入賞口２３が設けられている。変動入賞装置２８の右側に、右から順に第五入賞口２５、及び第四入賞口２４が設けられている。第一入賞口〜第五入賞口２５に遊技球が入賞した場合、所定数の遊技球が払い出される。
【００２５】
遊技盤２の裏側の物理的構成について、図３を参照して説明する。図柄表示装置８（図２参照）の裏側に相当する部分には、制御ボックス３１が設けられている。制御ボックス３１は、図柄表示装置８の表示制御を司る。制御ボックス３１の内部には制御基板等が格納されている。
【００２６】
制御ボックス３１の下側であって、第一入賞口〜第五入賞口２５（図２参照）の裏側に相当する部分に、誘導樋５０が設けられている。誘導樋５０は、始動口２６、２７（図２参照）や第一入賞口〜第五入賞口２５（図２参照）を通過して遊技盤２の裏側に流れ込んだ遊技球を、所定の受け部（図示外）に誘導する。誘導樋５０は、誘導路５１〜５６を備える。誘導路５１〜５６は、其々、第一入賞口（図示外）〜第五入賞口２５及び始動口２６を通過した遊技球を、所定の受け部に誘導する。また、通流する遊技球を検出センサ６６〜６８によって検出する。誘導樋５０の詳細は後述する。
【００２７】
始動口２７（図２参照）の裏側に相当する部分に、始動口２７に設けられている開閉部材を開閉させる開閉機構部３２を備えている。変動入賞装置２８（図２参照）の裏側に相当する部分に、変動入賞装置２８に設けられている開閉部材を開閉させるための開閉機構部３３を備えている。
【００２８】
誘導樋５０の物理的構成について、図４〜図８を参照して説明する。図６における紙面手前側を誘導樋５０の前方と呼ぶ。紙面手奥行き側を誘導樋５０の後方と呼ぶ。紙面左右方向を誘導樋５０の左右方向と呼ぶ。紙面上下方向を誘導樋５０の上下方向と呼ぶ。
【００２９】
図４に示すように、誘導樋５０は、遊技盤２と平行に配置される板状体部である第一壁部と、この第一壁部から前方に立設する板状体部である第二壁部とを少なくとも備えている。第一壁部と第二壁部とで囲まれる中空状部分が、遊技球の誘導路となる。第二壁部のうち第一壁部側と反対側の端部が遊技盤２に接するように、誘導樋５０は遊技盤２に取り付けられる。誘導樋５０が遊技盤２に取り付けられた状態で入賞口を遊技球が通過した場合、遊技球は誘導路を通流して所定の受け部（図示外）に誘導される。
【００３０】
誘導樋５０は、入賞口を通過した遊技球を下方に誘導させるための誘導路５１〜５６を備える。誘導路５１は、第一入賞口（図示外）を通過した遊技球を下方に誘導する。以下同様に、誘導路５２は第二入賞口２２（図２参照）、誘導路５３は第三入賞口２３（図２参照）、誘導路５３は第三入賞口２３（図２参照）、誘導路５４は第四入賞口２４（図２参照）、誘導路５５は第五入賞口２５（図２参照）を通過した遊技球を、それぞれ下方に誘導する。以下詳説する。
【００３１】
誘導樋５０は、図４及び図６に示すように、左端部から上方に凸設した誘導路５１を備えている。誘導路５１は、遊技球が下方に通流する場合の通流経路の右側と左側とに、上下方向に延設する第二壁部を備えている。また、これらの第二壁部の上端部に接続し、通流経路を上側から覆う第二壁部を備えている。誘導樋５０が遊技盤２に取り付けられた状態で、誘導路５１の上端の開口部分（以下「誘導口５１１」という。）は、第一入賞口（図示外）の裏側に相当する部分に配置する。誘導路５１は、第一入賞口を通過した遊技球を下方に誘導する。誘導路５１の左右方向の長さ（左右の第二壁部の間の長さ）は、遊技球の直径（１１ｍｍ）の約２倍の長さに設定されている。具体的には、誘導路５１の左右方向の長さは２３ｍｍに設定される。誘導路５１の前後方向の長さ（第一壁部及び第二壁部の前後方向の長さ）は１６ｍｍに設定される。
【００３２】
誘導路５１を構成する第一壁部には、前方（誘導路５１の内方）に凸設する第一凸部６１が設けられている。第一凸部６１は、正面視にて左右方向を長手方向とする略長方形状の凸設部分が、上下方向に合計３列平行に並んだ状態となっている。誘導路５１を通流する遊技球を第一凸部６１に衝突させることによって、遊技球の通流速度を抑制する。本実施の形態では、第一凸部６１の突出幅は１ｍｍに設定されている。
【００３３】
誘導口５１１近傍の第一壁部には、前方（誘導路５１の内方）に凸設し下方に延設する第二凸部７１が設けられている。第二凸部７１は、側面視にて三角形状の凸設部分が、左右方向に合計３列平行に並んだ状態となっている。第二凸部７１の上端部分は、上側の第二壁部に接続している。第二凸部７１は、前方から後方にかけて下方に傾斜した傾斜部を備えている。第二凸部７１は、第一入賞口を前方から後方に向かって通過した遊技球を、下方に誘導する。
【００３４】
誘導樋５０は、誘導路５１の右斜め下部分に誘導路５２を備えている。誘導路５２は、遊技球が下方に通流する場合の通流経路の右側と左側に、上下方向に延設する第二壁部を備えている。これらの第二壁部の上端部に接続し、通流経路を上側から覆う第二壁部を備えている。誘導樋５０が遊技盤２に取り付けられた状態で、誘導路５２の上端の開口部分（以下「誘導口５２１」という。）は、第二入賞口２２（図２参照）の裏側に相当する部分に配置する。誘導路５２は、第二入賞口２２を通過した遊技球を下方に誘導する。誘導路５２の左右方向の長さ（左右の第二壁部の間の長さ）は、遊技球の直径（１１ｍｍ）の約２倍の長さに設定されている。具体的には、誘導路５２の左右方向の長さは２３ｍｍに設定される。誘導路誘導路５２の前後方向の長さ（第一壁部及び第二壁部の前後方向の長さ）は１６ｍｍに設定される。
【００３５】
誘導路５２を構成する第一壁部には、前方（誘導路５２の内方）に凸設する第一凸部６２が設けられている。第一凸部６２は、平面視にて左右方向を長手方向とする略長方形状を有している。誘導路５２を通流する遊技球を第一凸部６２に衝突させることによって、遊技球の通流速度を抑制する。本実施の形態では、第一凸部６２の突出幅は１ｍｍに設定されている。
【００３６】
誘導口５２１近傍の第一壁部には、前方（誘導路５２の内方）に凸設し下方に延設する第二凸部７２が設けられている。第二凸部７２は、側面視にて三角形状の凸設部分が、左右方向に合計３列平行に並んだ状態となっている。第二凸部７２の上端部分は、上側の第二壁部に接続している。第二凸部７２は、前方から後方にかけて下方に傾斜した傾斜部を備えている。第二凸部７２は、第二入賞口２２を前方から後方に向かって通過した遊技球を、下方に誘導する。
【００３７】
誘導路５１及び誘導路５２の下端部分は、遊技球を左から右方向に誘導するための誘導路５７に連通している。誘導路５７は、通流経路の下側に設けられ、左右方向に延設する第二壁部を備えている。誘導路５１及び誘導路５２を下方に通流した遊技球は、誘導路５７の第二壁部に沿って右方向に誘導される。誘導路５１のうち左側の第二壁部と、誘導路５７の下側の第二壁部との接続部分８１は湾曲している。誘導路５１を下方に通流する遊技球は、湾曲した接続部分８１によって滑らかに通流方向を右方向に変化させ、右方向に誘導される。
【００３８】
誘導樋５０は、誘導路５７の右端部分であって誘導路５２の右斜め下部分に誘導路５３を備えている。誘導路５３は、遊技球が下方に通流する場合の通流経路の右側に、上下方向に延設する第二壁部を備えている。この第二壁部の上端部に接続し、通流経路を上側から覆う第二壁部を備えている。誘導樋５０が遊技盤２に取り付けられた状態で、誘導路５３の上端の開口部分（以下「誘導口５３１」という。）は、第三入賞口２３（図２参照）の裏側に相当する部分に配置する。誘導路５３は、第三入賞口２３を通過した遊技球を下方に誘導する。また、誘導路５７を左から右方向に通流した遊技球を下方に誘導する。
【００３９】
誘導口５３１近傍の第一壁部には、前方（誘導路５３の内方）に凸設し下方に延設する第二凸部７３が設けられている。第二凸部７３は、側面視にて三角形状の凸設部分が、左右方向に合計２列平行に並んだ状態となっている。第二凸部７３の上端部分は、上側の第二壁部に接続している。第二凸部７３は、前方から後方にかけて下方に傾斜した傾斜部を備えている。第二凸部７３は、第三入賞口２３を前方から後方に向かって通過した遊技球を、下方に誘導する。
【００４０】
図６に示すように、誘導路５３の下端部分には、通流する遊技球を検出する検出センサ６６が設けられている。検出センサ６６は、遊技球が通流可能な円形状の孔部を備えている。検出センサ６６は、誘導路５１〜５３及び誘導路５７を通流した遊技球が孔部を通過した場合に、遊技球を検出する。
【００４１】
検出センサ６６の上側には、検出センサと誘導路５３との間の段差を埋めるための段差埋め部７７を備えている。図４に示すように、段差埋め部７７は、前方から後方にかけて上方に傾斜する傾斜部を備えている。段差埋め込み部７７は、誘導路５３の第一壁面と検出センサ６６の孔部との間の段差を埋める。遊技球は、段差に引っ掛かってしまうこなくスムーズに下方に通流し、検出センサ６６の孔部を通過する。
【００４２】
図４及び図６に示すように、誘導樋５０は、右端部から上方に凸設した誘導路５５を備えている。誘導路５５は、遊技球が下方に通流する場合の通流経路の右側と左側とに、上下方向に延設する第二壁部を備えている。また、これらの第二壁部の上端部に接続し、通流経路を上側から覆う第二壁部を備えている。誘導樋５０が遊技盤２に取り付けられた状態で、誘導路５５の上端の開口部分（以下「誘導口５５１」という。）は、第五入賞口２５（図２参照）の裏側に相当する部分に配置する。誘導路５５は、第五入賞口２５を通過した遊技球を下方に誘導する。誘導路５５の左右方向の長さ（左右の第二壁部の間の長さ）は、遊技球の直径（１１ｍｍ）の約２倍の長さに設定されている。具体的には、誘導路５５の左右方向の長さは２３ｍｍに設定される。誘導路５５の前後方向の長さ（第一壁部及び第二壁部の前後方向の長さ）は１６ｍｍに設定される。
【００４３】
誘導路５５を構成する第一壁部には、前方（誘導路５５の内方）に凸設する第一凸部６５が設けられている。第一凸部６５は、正面視にて左右方向を長手方向とする略長方形状を有している。誘導路５５を通流する遊技球を第一凸部６５に衝突させることによって、遊技球の通流速度を抑制する。本実施の形態では、第一凸部６５の突出幅は１ｍｍに設定されている。
【００４４】
誘導口５５１近傍の第一壁部には、前方（誘導路５５の内方）に凸設し下方に延設する第二凸部７５が設けられている。第二凸部７５は、側面視にて三角形状の凸設部分が、左右方向に合計３列平行に並んだ状態となっている。第二凸部７５の上端部分は、上側の第二壁部に接続している。第二凸部７５は、前方から後方にかけて下方に傾斜した傾斜部を備えている。第二凸部７５は、第五入賞口２５を前方から後方に向かって通過した遊技球を、下方に誘導する。
【００４５】
誘導路５５の下端部分は、遊技球を右から左方向に誘導するための誘導路５８に連通している。誘導路５８は、通流経路の下側に設けられ、左右方向に延設する第二壁部を備えている。誘導路５５を下方に通流した遊技球は、誘導路５８の第二壁部に沿って左方向に誘導される。誘導路５５の第二壁部と誘導路５８の第二壁部との接続部分８２は湾曲している。誘導路５５を下方に通流する遊技球は、湾曲した接続部分８２によって滑らかに通流方向を左方向に変化させ、左方向に誘導される。
【００４６】
誘導樋５０は、誘導路５８の左端部分であって誘導路５５の左斜め下部分に誘導路５４を備えている。誘導路５４は、遊技球が下方に通流する場合の通流経路の左側に、上下方向に延設する第二壁部を備えている。この第二壁部の上端部に接続し、通流経路を上側から覆う第二壁部を備えている。誘導樋５０が遊技盤２に取り付けられた状態で、誘導路５４の上端の開口部分（以下「誘導口５４１」という。）は、第四入賞口２４（図２参照）の裏側に相当する部分に配置する。誘導路５４は、第四入賞口２４を通過した遊技球を下方に誘導する。また、誘導路５８を右から左方向に通流した遊技球を下方に誘導する。
【００４７】
誘導口５４１近傍の第一壁部には、誘導路５４の前方に凸設し下方に延設する第二凸部７４が設けられている。第二凸部７４は、側面視にて三角形状の凸設部分が、左右方向に合計２列平行に並んだ状態となっている。第二凸部７４の上端部分は、上側の第二壁部に接続している。第二凸部７４は、前方から後方にかけて下方に傾斜した傾斜部を備えている。第二凸部７４は、第四入賞口２４を前方から後方に向かって通過した遊技球を、下方に誘導する。
【００４８】
図６に示すように、誘導路５４の下端部分には、通流する遊技球を検出する検出センサ６８が設けられている。検出センサ６８は、遊技球が通流可能な円形状の孔部を備えている。検出センサ６８は、誘導路５４、５５及び誘導路５８を通流した遊技球が孔部を通過した場合に、遊技球を検出する。
【００４９】
検出センサ６８の上側には、検出センサと誘導路５４との間の段差を埋めるための段差埋め部７８を備えている。図４に示すように、段差埋め部７８は、前方から後方にかけて上方に傾斜する傾斜部を備えている。段差埋め込み部７８は、誘導路５４の第一壁面と検出センサ６８の孔部との間の段差を埋める。遊技球は、段差に引っ掛かってしまうこなくスムーズに下方に通流し、検出センサ６８の孔部を通過する。
【００５０】
誘導樋５０は、左右略中央部分に誘導路５６を備えている。誘導路５６は、上端の開口部分から下方に延設し、下端部分において右方に曲折して右方に延設し、右端部において下方に曲折して下方に延設している。誘導樋５０が遊技盤２に取り付けられた状態で、誘導路５６の上端の開口部分は、始動口２６（図２参照）の裏側に相当する部分に配置する。誘導路５６は、始動口２６を通過した遊技球を下方に誘導する。
【００５１】
図６に示すように、誘導路５６の途中部分には、通流する遊技球を検出する検出センサ６７が設けられている。検出センサ６７は、遊技球が通流可能な円形状の孔部を備えている。検出センサ６７は、誘導路５６を通流した遊技球が孔部を通過した場合に、遊技球を検出する。
【００５２】
検出センサ６７の上側には、検出センサと誘導路５６との間の段差を埋めるための段差埋め部７６を備えている。図４に示すように、段差埋め部７６は、誘導路５６を構成する第一壁部に設けられており、前方（誘導路５６の内方）に凸設している。段差埋め込み部７６は、誘導路５６の第一壁面と検出センサ６７の孔部との間の段差を埋める。遊技球は、段差に引っ掛かってしまうこなくスムーズに下方に通流し、検出センサ６７の孔部を通過する。
【００５３】
図５に示すように、誘導樋５０は、誘導路５１〜５３（図４参照）、及び誘導路５７（図４参照）を含む構成部分（以下「第一誘導樋１１１」という。）と、誘導路５４〜５６（図４参照）及び誘導路５８（図４参照）を含む構成部分（以下「第二誘導樋１１２」という。）とに分割可能となっている。第一誘導樋１１１の右端部分に、第二誘導樋１１２の嵌合凹部８４と嵌合可能な嵌合凸部８５が設けられている。図６に示すように、上方に凸設する嵌合凸部８５１が、第一誘導樋１１１の右端上部に設けられている。下方に凸設する嵌合凸部８５２が、第一誘導樋１１１の右端下部に設けられている。図５に示すように、第二誘導樋１１２の左端部分に、第一誘導樋１１１の嵌合凸部８５と嵌合可能な嵌合凹部８４が設けられている。図６に示すように、上方に凹んだ形状の嵌合凹部８４１が、第二誘導樋１１２の左端上部に設けられている。下方に凹んだ形状の嵌合凹部８４２が、第二誘導樋１１２の左端下部に設けられている。嵌合凸部８５１と嵌合凹部８４１とが嵌合する。嵌合凸部８５２と嵌合凹部８４２とが嵌合する。嵌合凹部８４と嵌合凸部８５とが嵌合した状態で、第一誘導樋１１１と第二誘導樋１１２とはネジ８３によって固定され結合される。
【００５４】
図６に示すように、誘導路５１の左方に板状の取付板部１０１が設けられている。誘導路５７の下方に板状の取付板部１０２が設けられている。誘導路５８の下方に板状の取付板部１０３が設けられている。誘導路５５から右方に板状取付板部１０４が設けられている。取付板部１０１〜１０４には、複数の孔が設けられている。誘導樋５０が遊技盤２に取り付けられる場合、これらの孔にネジが螺入される。誘導樋５０はネジによって遊技盤２に固定される。
【００５５】
図５、図７及び図８に示すように、誘導樋５０の第一壁部から後方に突出した突起部１１３、１１４、１１５が設けられている。突起部１１３は検出センサ６６を固定する。突起部１１４は検出センサ６７を固定する。突起部１１５は検出センサ６８を固定する。
【００５６】
誘導路を遊技球が通流する場合の様子について、図９を参照して説明する。第一入賞口（図示外）を遊技球が通過すると、遊技球は誘導路５１の誘導口５１１に進入する（図中遊技球９１）。前方から後方に向かって進入した遊技球は、誘導口５１１近傍の第二凸部７１に設けられている下方斜め後方の傾斜に沿って流れ、下方に誘導される。第二凸部７１によって遊技球の通流方向を滑らかに下方に修正する。誘導路５１の第一壁部に遊技球が直接衝突し、衝突部分が破損してしまうことを防止できる。
【００５７】
下方に通流する遊技球は、誘導路５１に設けられた複数の第一凸部６１に衝突し、通流速度が抑制される。誘導路５１の前後方向の長さは、誘導路５１の左右方向の長さと比較して短いので、誘導路５１の第一壁部に第一凸部６１を設けることによって、遊技球と第一凸部６１との衝突の頻度を高めることができる。このため、遊技球の通流速度を効果的に抑制できる。誘導路を構成する壁部に遊技球が衝突する場合の衝撃が弱まるので、衝突部分が破損してしまうことを防止できる。
【００５８】
通流速度が抑制された状態の遊技球は、誘導路５１に沿って下方に流れ、そして誘導路５７に至る。遊技球は、誘導路５１の第二壁部と誘導路５７の第二壁部との接続部分８１に衝突する（図中遊技球９２）。遊技球の通流速度は抑制されているので、接続部分８１に遊技球が衝突した場合の衝撃は弱まる。遊技球の衝突時の衝撃で、衝突部分が破損してしまうことを防止できる。
【００５９】
誘導路５１の第二壁部と誘導路５７の第二壁部との接続部分８１には、湾曲が設けられている。下方に通流した遊技球は、接続部分８１に強く衝突することなく、接続部分８１に沿って滑らかに右方向に通流する（図中遊技球９４）。接続部分８１に遊技球が衝突した場合の衝撃が弱まるので、遊技球の衝突時の衝撃で、衝突部分が破損してしまうことを防止できる。
【００６０】
誘導路５７を通流した遊技球は、誘導路５３に至る。遊技球は、誘導路５３の下方に設けられた検出センサ６６に向かって通流する。検出センサ６６上側に設けられた段差埋め部７７によって、誘導路５３の第一壁面と検出センサ６６の孔部との間の段差が埋められているので、遊技球は誘導路５３に詰まってしまうことなくスムーズに検出センサ６６の孔部を通過する（図中遊技球９５）。
【００６１】
第二入賞口２２を通過して誘導路５２の誘導口５２１に進入した遊技球（図中遊技球９３）、も、上述の説明と同様に、誘導路５３の下方に誘導され、検出センサ６６によって検出される。第五入賞口２５を通過して誘導路５５の誘導口５５１に進入した遊技球（図中遊技球９６）も同様に、誘導路５４の下方に誘導され、検出センサ６８によって検出される。詳細説明は省略する。
【００６２】
ここで図１０に示すように、誘導路５１は、入賞口の左右の配置が異なる複数種類の遊技盤２に共通の誘導樋５０が使用された場合であっても、誘導口５１１が入賞口の裏側に相当する部分に配置されるように、左右方向の長さ（図１０中Ａ）が定められている。すなわち、誘導路５１の左右方向の長さは、遊技球を通流させるために必要な最低限の長さよりも長く設定されている。これによって、入賞口の左右の配置が異なる遊技盤２に対して、共通の誘導樋５０を使用することができる。異なる種類の遊技盤２毎に異なる誘導樋５０を作成する必要がなくなるので、パチンコ機１の製造コストを抑制することができる。
【００６３】
例えば上述の実施形態では、誘導路５１の左右方向の長さは、遊技球９１の径（図１０中Ｂ、１６ｍｍ）の約２倍の長さ（２３ｍｍ）に設定されている。従って、入賞口の配置位置が、遊技機の径の約２倍分左右方向に異なる複数種類の遊技盤２に対して、共通の誘導樋５０を使用することができる。
【００６４】
なお、誘導口５２、及び５５についても、上述の誘導路５１に関する説明と同様、入賞口の左右の配置が異なる複数種類の遊技盤２に共通の誘導樋５０が使用された場合であっても、誘導口５１２、５５２が入賞口の裏側に相当する部分に配置されるように、左右方向の長さが定められている。例えば上述の実施形態では、誘導路５２、５５の左右方向の長さは、遊技球の径（１６ｍｍ）の約２倍の長さ（２３ｍｍ）に設定されている。詳細説明は省略する。
【００６５】
また図５に示すように、誘導樋５０は、第一誘導樋１１１と第二誘導樋１１２とに分割可能な構成を有している。従って、遊技盤２の種類によって入賞口の配置位置が大きく異なる場合には、誘導口の配置が異なる複数の第一誘導樋１１１及び第二誘導樋１１２を組み合わせて使用する。これによって、入賞口の配置が大きく異なる複数種類の遊技盤２に対して誘導樋５０を使用する場合に、樋部品を共通化することができる。パチンコ機１の製造コストを抑制することができる。
【００６６】
図４の誘導路５１、５５が本発明の「第一誘導路」に相当し、誘導路５７、５８が本発明の「第二誘導路」に相当し、嵌合凹部８４及び嵌合凸部８５が本発明の「結合部」に相当する。
【００６７】
なお、本発明は上記の実施の形態に限定されるものではなく、種々の変更が可能である。上述の実施の形態では、誘導路５１、５２、及び５５の左右方向の長さを、遊技球の径の２倍と定めていた。しかしながら本発明はこの構成に限定されない。複数種類の遊技球に共通の誘導樋５０を使用することが可能であれば、誘導路５１、５２、５５の左右方向の長さは２倍未満であってもかまわない。
【００６８】
上述の実施の形態では、誘導路５１、５２、及び５５の左右方向の長さを上述のように定めることとした。しかしながら本発明はこの構成に限定されない。例えば、誘導路５１のうち少なくとも誘導口５１１の左右方向の長さを上述のように定めた場合であっても、上述と同様の効果を奏することができる。
【００６９】
図１１及び図１２を参照し、本実施の形態の変形例について説明する。変形例では、図１１及び図１２に示すように、誘導路５１を構成する左右の第二壁部に、誘導路５１の内側方向に凸設する凸設部５１２及び凸設部５１３が設けられている。左側の第二壁部に、右方に凸設する凸設部５１２が設けられている。右側の第二壁部に、左方に凸設する凸設部５１３が設けられている。凸設部５１２及び凸設部５１３は、誘導路５１の下方内側方向に向かってなだらかに傾斜する傾斜部をそれぞれ備えている。凸設部５１２及び凸設部５１３のうち最も内側に凸設する部分では、誘導路５１の左右方向の長さが誘導口５１１の略半分になっている。
【００７０】
このような構成とした場合であっても、誘導口５１１の左右方向の長さは上述の実施の形態と同じであるため、遊技盤２に誘導樋５０が取り付けられた状態で、第一入賞口の裏側に相当する部分に誘導口５１１が配置される。従って、入賞口の左右の配置が異なる複数種類の遊技盤２に共通の誘導樋５０が使用可能である。
【００７１】
なお変形例の構成とすることによって、通流する遊技球を凸設部５１２及び凸設部５１３の傾斜部に衝突させながら下方に通流させることができる。誘導路５１を通流する遊技球の通流速度を抑制することができる。これによって、遊技球が壁部に衝突した場合の衝撃で、誘導路５１が破損してしまうことを防止できる。
【００７２】
なお図１１及び図１２では、誘導路５１の第一壁部に第一凸部６１が設けられている。しかしながら上述のように、凸設部５１２及び凸設部５１３が遊技球の通流速度を抑制するように作用するので、第一凸部６１は誘導路５１に設けられていなくてもよい。
【符号の説明】
【００７３】
１      パチンコ機
２      遊技盤
２２    第二入賞口
２３    第三入賞口
２４    第四入賞口
２５    第五入賞口
２６、２７  始動口
２８    変動入賞装置
５０  誘導樋
５１、５２、５３、５４、５５、５６、５７、５８  誘導路
６１、６２、６５  第一凸部
６６、６７、６８  検出センサ
７１、７２、７３、７４、７５  第二凸部
８４    嵌合凹部
８５    嵌合凸部
５１１、５２１、５３１、５４１、５５１  誘導口
【図１】
2011000268.tif 000003
【図２】
2011000268.tif 000004
【図３】
2011000268.tif 000005
【図４】
2011000268.tif 000006
【図５】
2011000268.tif 000007
【図６】
2011000268.tif 000008
【図７】
2011000268.tif 000009
【図８】
2011000268.tif 000010
【図９】
2011000268.tif 000011
【図１０】
2011000268.tif 000012
【図１１】
2011000268.tif 000013
【図１２】
2011000268.tif 000014